(57)【要約】【課題】  楔状スペーサーによりサイトピンを備えた支持体に設けられているガイド孔とラック部材との間の隙間を容易に且つ確実に無くすことができ、支持体の上下方向の微調整を正確に行える高精度のアーチェリー用照準器を得る。【解決手段】  アーチェリー用照準器のガイド孔１３における支持体９の摺動方向の一方の内面をガイド孔１３の開口部が拡開する方向に傾斜する傾斜面とすることにより、ガイド孔１３とラック部材１５との間に楔状傾斜空間２６を形成し、楔状傾斜空間２６に楔状スペーサー２９をガイド孔１３の開口側から押し込み、ラック部材１５をガイド孔１３における支持体９の摺動方向の他方の面に摺動可能に押し付けた位置で、楔状スペーサー２９を支持体９に固定可能とした。【選択図】  図５
2020112304.tif 000002
【特許請求の範囲】
【請求項１】
アーチェリーの弓部に対して固定されるエレベーションバーと、サイトピンを備え前記エレベーションバーに前記エレベーションバーの軸方向に沿って摺動可能に取り付けられた支持体とからなり、前記エレベーションバーには送りねじが回転可能に配置され、前記支持体には前記送りねじに向かって開口するガイド孔が設けられ、ガイド孔には、先端面に前進して前記送りねじと噛み合い後退して離反する歯部が形成されたラック部材が摺動可能に嵌合し、前記支持体には前記ラック部材を前進方向に付勢するばね部材と、前記ばね部材に抗して前記ラック部材を後退させる後退手段が設けられたアーチェリー用照準器であって、
前記ガイド孔における前記支持体の摺動方向の一方の内面を、前記ガイド孔の開口部が拡開する方向に傾斜する傾斜面とすることにより、前記ガイド孔と前記ラック部材との間に楔状傾斜空間を形成し、前記楔状傾斜空間に、一面側を前記楔状傾斜空間を構成する前記ラック部材の一方の面に摺動可能に当接する摺動面とし他面側を前記ガイド孔の前記傾斜面に当接する固定面とした楔状スペーサーを前記ガイド孔の開口側から押し込み、前記ラック部材を前記ガイド孔における前記支持体の摺動方向の他方の面に摺動可能に押し付けた位置で、前記楔状スペーサーを前記支持体に固定可能としたことを特徴とするアーチェリー用照準器。
【請求項２】
前記楔状スペーサーを前記支持体に固定する固定手段にあっては、前記支持体に前記ガイド孔の前記傾斜面に前後方向に伸びる長穴からなる穴部を形成し、前記楔状スペーサーに前記傾斜空間内にて前記穴部内に開口するねじ穴を形成し、前記穴部内に開口する前記傾斜空間に挿入した前記楔状スペーサーの前記ねじ穴に前記支持体の外側から前記穴部を通し雄ねじ部を螺合し、前記楔状スペーサーを前記締め付け前記支持体に固定するようにしたことを特徴とする請求項１に記載のアーチェリー用照準器。
【発明の詳細な説明】
【技術分野】
【０００１】
本発明は、アーチェリー用照準器に関する。
【背景技術】
【０００２】
アーチェリーでは、矢の向きの上下・左右を調整する照準器が非常に重要な要素となっている。特に、上下方向の調整は矢の飛距離に大きく影響し、その調整は非常に重要なものとなっている。
矢の向きの上下方向の調整ができるアーチェリー用照準器として、一般に、アーチェリーの弓部に対して固定されるエレベーションバーと、サイトピンを備えエレベーションバーに沿って摺動可能に取り付けられた支持体とで構成されたものが多く使用されている。
【０００３】
このようなアーチェリー用照準器にあって、エレベーションバーには送りねじが回転可能に配置され、支持体には送りねじに向かって開口するガイド孔が設けられ、ガイド孔には、先端面に前進して前記送りねじと噛み合い後退して離反する歯部が形成されたラック部材が摺動可能に嵌合し、支持体にはラック部材を前進方向に付勢するばね部材と、ばね部材に抗してラック部材を後退させる後退手段が設けられたアーチェリー用照準器が知られている（例えば、特許文献１参照。）。
【０００４】
特許文献１に記載されているアーチェリー用照準器では、エレベーションバーに取り付けられている支持体を上下方向に移動させ、支持体に備えられたサイトピンの位置を上下方向に調整するようになっている。
支持体の移動にあっては、例えば、後退手段によりラック部材を後退させ、送りねじとの噛み合いを開放し、支持体を上下方向に押すことにより支持体を所望の位置まで移動させ、この後、後退手段によりラック部材の後退を解き、前進させて先端面に形成された歯部を送りねじと噛み合わせ、この状態でエレベーションバーに配置されている送りねじを回転させ、上下移動するラック部材を介して支持体の上下方向の微調整を行う。
【先行技術文献】
【特許文献】
【０００５】
【特許文献１】特開２００７−３１５７４６号公報
【発明の概要】
【発明が解決しようとする課題】
【０００６】
アーチェリー競技では、７０ｍ、９０ｍ先の的を標的とする種目もあり、サイトピンの位置の僅かな違いが、矢の的中の精度に大きな影響を与える。このような射的距離の長いアーチェリー競技に対応するものとして、エレベーションバーに配置された送りねじを一回転させるとサイトピンを備えた支持体が０．０２ｍｍ移動するように微調整できる高精度のアーチェリー用照準器もある。
【０００７】
しかしながら、特許文献１に記載されているアーチェリー用照準器では、支持体に設けられているガイド孔内にラック部材を摺動可能に嵌合するため、ガイド孔内とラック部材との間に加工上の隙間（公差）を持たせた状態でガイド孔内とラック部材の寸法加工（寸法公差）を行う必要があった。
【０００８】
この結果、ガイド孔内とラック部材との間には、常に公差による隙間が存在することになり、ガイド孔に対してラック部材のガタツキが生じることになる。そのため、送りねじを回転させたとき、ラック部材の移動方向に隙間が存在している場合、ラック部材は先ず隙間を埋めるように移動し、それからガイド孔の移動方向にある内面に当接し支持体を移動させることになる。
このように、ラック部材の移動方向に隙間が存在している場合と隙間が存在していない場合とでは、サイトピンを備えた支持体の移動量に隙間の範囲の分だけ誤差が生じることになり、微調整を正確に行えない場合があるといった問題があった。
【０００９】
本発明者は、このような問題を解決するため試験研究を重ねた結果、ガイド孔内とラック部材との間に存在する公差による隙間を埋めることに着想し、本発明を完成するにいたった。
【００１０】
本発明の目的は、サイトピンを備えた支持体に設けられているガイド孔とラック部材との間の隙間を無くし、支持体の上下方向の微調整を正確に行えるようにしたアーチェリー用照準器を提供することにある。
【課題を解決するための手段】
【００１１】
上記の目的を達成するために、請求項１に記載の発明は、アーチェリーの弓部に対して固定されるエレベーションバーと、サイトピンを備え前記エレベーションバーに前記エレベーションバーの軸方向に沿って摺動可能に取り付けられた支持体とからなり、前記エレベーションバーには送りねじが回転可能に配置され、前記支持体には前記送りねじに向かって開口するガイド孔が設けられ、ガイド孔には、先端面に前進して前記送りねじと噛み合い後退して離反する歯部が形成されたラック部材が摺動可能に嵌合し、前記支持体には前記ラック部材を前進方向に付勢するばね部材と、前記ばね部材に抗して前記ラック部材を後退させる後退手段が設けられたアーチェリー用照準器であって、前記ガイド孔における前記支持体の摺動方向の一方の内面を、前記ガイド孔の開口部が拡開する方向に傾斜する傾斜面とすることにより、前記ガイド孔と前記ラック部材との間に楔状傾斜空間を形成し、前記楔状傾斜空間に、一面側を前記楔状傾斜空間を構成する前記ラック部材の一方の面に摺動可能に当接する摺動面とし他面側を前記ガイド孔の前記傾斜面に当接する固定面とした楔状スペーサーを前記ガイド孔の開口側から押し込み、前記ラック部材を前記ガイド孔における前記支持体の摺動方向の他方の面に摺動可能に押し付けた位置で、前記楔状スペーサーを前記支持体に固定可能としたことを特徴とする。
【００１２】
請求項１に記載の発明によれば、前記ガイド孔における前記支持体の摺動方向の一方の内面を、前記ガイド孔の開口部が拡開する方向に傾斜する傾斜面とすることにより、前記ガイド孔と前記ラック部材との間に楔状傾斜空間を形成し、前記楔状傾斜空間に、一面側を前記傾斜空間を構成する前記ラック部材の一方の面に摺動可能に当接する摺動面とし他面側を前記ガイド孔の前記傾斜面に当接する固定面とした楔状スペーサーを前記ガイド孔の開口側から押し込み、前記ラック部材を前記ガイド孔における前記支持体の摺動方向の他方の面に摺動可能に押し付けた位置で、前記楔状スペーサーを前記支持体に固定可能としたので、前記楔状スペーサーによりサイトピンを備えた支持体に設けられているガイド孔とラック部材との間の隙間を容易に且つ確実に無くすことができる。
【００１３】
請求項２に記載の発明は、請求項１に記載の、前記楔状スペーサーを前記支持体に固定する固定手段にあっては、前記支持体に前記ガイド孔の前記傾斜面に前後方向に伸びる長穴からなる穴部を形成し、前記楔状スペーサーに前記傾斜空間内にて前記穴部内に開口するねじ穴を形成し、前記穴部内に開口する前記傾斜空間に挿入した前記楔状スペーサーの前記ねじ穴に前記支持体の外側から前記穴部を通し雄ねじ部を螺合し、前記楔状スペーサーを前記締め付け前記支持体に固定するようにしたことを特徴とする。
【００１４】
請求項２に記載の発明によれば、前記楔状スペーサーを前記支持体に固定する場合、前記ガイド孔と前記ラック部材との間に形成されている前記楔状傾斜空間に前記楔状スペーサーを前記ガイド孔の開口側から押し込み、前記ラック部材を前記ガイド孔における前記支持体の摺動方向の他方の面に摺動可能に押し付けた位置で、前記穴部内に開口する前記傾斜空間に挿入した前記楔状スペーサーの前記ねじ穴に前記支持体の外側から前記穴部を通し雄ねじ部を螺合し、前記楔状スペーサーを締め付けるといった簡単な作業で前記楔状スペーサーを前記支持体に容易に且つ確実に固定することができる。
また、前記穴部は長穴となっているので前記楔状スペーサーを前記支持体に固定する位置の調整を容易に行うことができ、これにより前記楔状スペーサーによる前記ラック部材を前記ガイド孔における前記支持体の摺動方向の他方の面に摺動可能に押し付ける押圧力の調整が容易に行える。
【発明の効果】
【００１５】
本発明に係るアーチェリー用照準器によれば、前記楔状スペーサーによりサイトピンを備えた支持体に設けられているガイド孔とラック部材との間の隙間を容易に且つ確実に無くすことができ、支持体の上下方向の微調整を正確に行え、高精度のアーチェリー用照準器を得ることができる。
さらには、構成が簡単なので製造が容易であり、安価に得ることができる。
【図面の簡単な説明】
【００１６】
【図１】アーチェリー用弓の全体を示す概略図である。
【図２】本発明に係るアーチェリー用照準器の実施の形態の第１例を示す一部省略側面図である。
【図３】図１に示すアーチェリー用照準器の一部省略正面図である。
【図４】図３のＡ−Ａ線要部縦断面図である。
【図５】図３の一部拡大説明図である。
【図６】図２に示す支持体の要部横断面図である。
【図７】図６に示す支持体のラック部材を後退させた状態を示す説明図である。
【発明を実施するための形態】
【００１７】
以下、本発明に係るアーチェリー用照準器の実施の形態の一例を、図面を参照して詳細に説明する。
図１はアーチェリー用弓の全体を示す概略図、図２は本発明に係るアーチェリー用照準器の実施の形態の第１例を示す一部省略側面図、図３は図１に示すアーチェリー用照準器の一部省略正面図、図４は図３のＡ−Ａ線要部縦断面図、図５は図３の一部拡大説明図、図６は図２に示す支持体の要部横断面図、図７は図６に示す支持体のラック部材を後退させた状態を示す説明図である。
【００１８】
アーチェリー用の弓具は、図１に示すように、弓部１と、ストリングス２から構成される。弓部１は射手が弓具を保持するハンドル３と、ハンドル３の上端と下端に設けられ、ストリングス２が掛止されるリム４ａ，４ｂとから構成されている。ハンドル部３にはアーチェリー用照準器取付装置５を介して、弓部１の前方に位置するように本発明のアーチェリー用照準器６が取り付けられている。
【００１９】
本発明のアーチェリー用照準器６は、本例では、アーチェリーの弓部１に対してアーチェリー用照準器取付装置５を介して固定されるエレベーションバー７と、サイトピン８を備えエレベーションバー７にエレベーションバー７の軸方向に沿って摺動可能に取り付けられた支持体９とから構成されている。
なお、本例の支持体９はエレベーションバー７の外周に後述する支持体９が有する嵌合枠部にエレベーションバー７を嵌合して取り付けられているが、エレベーションバー７の軸方向に沿って摺動可能であれば他の取り付け方法によってもよい。
【００２０】
エレベーションバー７は、弓部１を立てて、矢を射る状態においてほぼ鉛直方向に沿って位置するようにアーチェリー用照準器取付装置５に固定される。
エレベーションバー７には、エレベーションバー７の軸方向に沿って長尺の送りねじ１０が回転可能に配置され、送りねじ１０の回転によって、エレベーションバー７に取り付けられた支持体９をエレベーションバー７の軸方向に沿って移動可能としている。そして、支持体９が摺動する摺動面には、支持体９の移動量を示す目盛表示部１１が設けられている。
このように構成されるエレベーションバー７にあっては、公知のエレベーションバーと特に変わるところは無く、公知のエレベーションバーを用いることができる。
【００２１】
エレベーションバー７に取り付けられる支持体９は、一側に、エレベーションバー７の外周に密に摺動可能に嵌合する嵌合枠部１２を有しており、他側には、サイトピン８が備えられている。また、支持体９における嵌合枠部１２の内面にあって、嵌合枠部１２に嵌合したエレベーションバー７に配置された送りねじ１０と対向する面に、送りねじ１０に向かって開口するガイド孔１３が設けられている。
ガイド孔１３には、先端面に前進して嵌合枠部１２に嵌合したエレベーションバー７に配置された送りねじ１０と噛み合い後退して離反する歯部１４が形成されたラック部材１５が摺動可能に嵌合している。
【００２２】
また、支持体９にはラック部材１５を前進方向に付勢するばね部材１６と、ばね部材１６に抗してラック部材１５を後退させる後退手段１７が設けられている。
ラック部材１５を前進方向に付勢するばね部材１６は、本例では、ラック部材１５の後端側とガイド孔１３の底部との間に介装されている。
【００２３】
また、ラック部材１５を後退させる後退手段１７にあっては、本例では、次のような構成となっている。
支持体９の側壁にガイド孔１３に連通する連通孔１８が形成されている。連通孔１８には一側がガイド孔１３内に入り作業片１９となり、他側が支持体９の外に飛び出し操作片２０となり、連通孔１８内で支持軸２１によりラック部材１５の摺動方向に回動可能に軸着された操作レバー２２が設けられている。
また、ラック部材１５には操作レバー２２の作業片１９の先端部が係合する係合孔２３が形成されている。
【００２４】
支持体９と操作レバー２２との間には作業片１９をラック部材１５の前進方向へ回動させる操作ばね２４が介装されており、操作レバー２２が開放状態のとき、ガイド孔１３に嵌合しているラック部材１５がばね部材１６の付勢により前進し、先端面に形成された歯部１４がエレベーションバー７に配置された送りねじ１０と噛み合った状態にある（図６参照。）。そして、操作レバー２２の操作片２０を操作ばね２４に抗して押圧したとき、作業片１９がラック部材１５の後退方向へ回動し、ラック部材１５の係合孔２３の後退側に係止し、ラック部材１５をばね部材１６に抗して後退させ、先端面に形成された歯部１４とエレベーションバー７に配置された送りねじ１０との噛み合いを解き離反させるようになっている（図７参照。）。
【００２５】
また、本例では、ガイド孔１３における支持体９の摺動方向の一方の内面を、ガイド孔１３の開口部が拡開する方向に傾斜する傾斜面２５とすることにより、ガイド孔１３とラック部材１５との間に楔状傾斜空間２６を形成している。
そして、楔状傾斜空間２６に、一面側を楔状傾斜空間２６を構成するラック部材１５の一方の面に摺動可能に当接する摺動面２７とし他面側をガイド孔１３の傾斜面２５に当接する固定面２８とした楔状スペーサー２９をガイド孔１３の開口側から押し込み、ラック部材１５をガイド孔１３における支持体９の摺動方向の他方の面に摺動可能に押し付けた位置で、楔状スペーサー２９を支持体９に固定可能としている（図５参照）。
【００２６】
楔状スペーサー２９の楔状傾斜空間２６内への押し込みは、楔状スペーサー２９の押し込みによってラック部材１５がガイド孔１３における支持体９の摺動方向の他方の面に押し付けられる力は、ガイド孔１３内におけるラック部材１５の摺動の妨げにならない力であることを要する。
【００２７】
楔状スペーサー２９を支持体９に固定する手段にあっては、本例では、次のような構成となっている。
支持体９にガイド孔１３の傾斜面２５に前後方向に伸びる長穴からなる穴部３０を形成し、楔状スペーサー２９に楔状傾斜空間２６内にて穴部３０内に開口するねじ穴３１を形成している。穴部３０内に開口する楔状傾斜空間２６に挿入した楔状スペーサー２９のねじ穴３１に支持体９の外側から穴部３０を通し雄ねじ部３２を螺合し、楔状スペーサー２９を締め付けて支持体９に固定するようにしている。
【００２８】
このように構成され本発明のアーチェリー用照準器６は、次のように使用される。
サイトピン８を備えた支持体９の上下方向の調整にあって、例えば、先ず、後退手段１７となる操作レバー２２を操作してラック部材１５を後退させ、エレベーションバー７に配置されている送りねじ１０との噛み合いを開放し、支持体９を上下方向に押すことによりエレベーションバー７の軸方向に沿って所望の位置まで移動させる。ここで後退手段１７によりラック部材１５の後退を解き、ラック部材１５を前進させて先端面に形成された歯部を送りねじと噛み合わせる。
【００２９】
この状態からエレベーションバーに配置されている送りねじを回転させ、ラック部材１５を介して支持体９の上下方向の微調整を行う。
このとき、ガイド孔１３における支持体９の摺動方向の一方の内面が、ガイド孔１３の開口部が拡開する方向に傾斜する傾斜面２５となり、ガイド孔１３とラック部材１５との間に楔状傾斜空間２６が形成され、そして、楔状傾斜空間２６に、一面側を楔状傾斜空間２６を構成するラック部材１５の一方の面に摺動可能に当接する摺動面２７とし他面側をガイド孔１３の傾斜面２５に当接する固定面２８とした楔状スペーサー２９が押し込まれ、ラック部材１５がガイド孔１３における支持体９の摺動方向の他方の面に摺動可能に押し付けられているので、内部に楔状スペーサー２９が押し込められたガイド孔１３とラック部材１５との間の隙間が無くなり、ガイド孔１３とラック部材１５との間の隙間を原因とする誤差が解消される。
これにより、支持体９の上下方向の微調整を正確に行うことができる。
【００３０】
また、本例では、楔状スペーサー２９を支持体９に固定する固定する手段として、支持体９にガイド孔１３の傾斜面２５に前後方向に伸びる長穴からなる穴部３０を形成し、楔状スペーサー２９に楔状傾斜空間２６内にて穴部３０内に開口するねじ穴３１を形成している。穴部３０内に開口する楔状傾斜空間２６に挿入した楔状スペーサー２９のねじ穴３１に支持体９の外側から穴部３０を通し雄ねじ部３２を螺合し、楔状スペーサー２９を締め付けて支持体９に固定するようにしているので、簡単な作業で楔状スペーサー２９を支持体９に容易に且つ確実に固定することができる。
【００３１】
また、穴部３０は長穴となっているので、楔状スペーサー２９を支持体９に固定する位置の調整を容易に行うことができ、これにより楔状スペーサー２９によるラック部材１５をガイド孔１３における支持体９の摺動方向の他方の面に摺動可能に押し付ける押圧力の調整が容易に行える。
【符号の説明】
【００３２】
１  弓部
２  ストリングス
３  ハンドル
４ａ，４ｂ  リム
５  アーチェリー用照準器取付装置
６  アーチェリー用照準器
７  エレベーションバー
８  サイトピン
９  支持体
１０  送りねじ
１１  目盛表示部
１２  嵌合枠部
１３  ガイド孔
１４  歯部
１５  ラック部材
１６  ばね部材
１７  後退手段
１８  連通孔
１９  作業片
２０  操作片
２１  支持軸
２２  操作レバー
２３  係合孔
２４  操作ばね
２５  傾斜面
２６  楔状傾斜空間
２７  摺動面
２８  固定面
２９  楔状スペーサー
３０  穴部
３１  ねじ穴
３２  雄ねじ部
【図１】
2020112304.tif 000003
【図２】
2020112304.tif 000004
【図３】
2020112304.tif 000005
【図４】
2020112304.tif 000006
【図５】
2020112304.tif 000007
【図６】
2020112304.tif 000008
【図７】
2020112304.tif 000009